(57)【要約】      （修正有）【課題】能力情報を含まない報知信号を出力する、セキュリティ面に配慮したアクセスポイントを提供する。【解決手段】通信可能エリアに対して、ＡＰの存在を知らせる報知信号であって、ＳＳＩＤも、能力情報も含まない、報知信号を送信する（Ｓ３０１）。無線情報端末（ＳＴＡ）から、ＡＰを探索する探索信号を受信する（Ｓ３０７）。受信した探索信号に、ＡＰ自身の識別情報が含まれているか否かを判定する（Ｓ３０８）。ＡＰ自身の識別情報が探索信号に含まれていると判定した場合に、更に、探索信号に、ＡＰに求められる要求能力情報が含まれ、且つ、ＡＰの能力情報が、要求能力情報を満たすか否かを判定する（Ｓ３０９）。探索信号に含まれる要求能力情報と、ＡＰの能力情報とが適合していると判定した場合に、ＡＰの能力情報を含む探索応答メッセージをＳＴＡに対して送信する（Ｓ３１０）。【選択図】図３
2008035418.tif 000002
【特許請求の範囲】
【請求項１】
通信可能エリア内にある無線情報端末に対して、無線通信によるネットワーク接続を実現させる通信装置であって、
前記通信可能エリアに対して、前記通信装置の存在を知らせる報知信号であって、前記通信装置の能力情報を含まない報知信号を送信する第１送信手段と、
前記無線情報端末から、通信装置を探索する探索信号を受信する受信手段と、
受信した前記探索信号に、前記通信装置に求められる要求能力情報が含まれ、且つ、前記通信装置の能力情報が、前記要求能力情報を満たすか否かを判定する第１判定手段と、
前記第１判定手段による判定結果に基づいて、前記通信装置の能力情報を含む探索応答メッセージを無線情報端末に対して送信する第２送信手段と、
を有することを特徴とする通信装置。
【請求項２】
受信した前記探索信号に、前記通信装置と接続するためのネットワーク識別情報が含まれているか否かを判定する第２判定手段を更に有し、
前記第１判定手段は、前記第２判定手段が、前記ネットワーク識別情報が前記探索信号に含まれていると判定した場合に、更に、前記能力情報に関する判定を行なうことを特徴とする請求項１に記載の通信装置。
【請求項３】
前記第２送信手段は、
前記第１判定手段が、前記探索信号に含まれる要求能力情報と、前記通信装置と接続するためのネットワーク識別情報とが適合していないと判定した場合に、前記通信装置の能力情報を含まない探索応答メッセージを無線情報端末に対して送信することを特徴とする請求項１に記載の通信装置。
【請求項４】
前記第２送信手段は、
前記第１判定手段が、前記探索信号に要求能力情報が含まれていないと判定した場合に、前記通信装置の能力情報を含まない探索応答メッセージを無線情報端末に対して送信することを特徴とする請求項１に記載の通信装置。
【請求項５】
前記通信可能エリアに対して、前記通信装置と接続するためのネットワーク識別情報も、前記通信装置の能力情報も含まない前記報知信号、及び、前記通信装置と接続するためのネットワーク識別情報は含まないが、前記通信装置の能力情報を含む前記報知信号、の何れかの報知信号を送信するように前記第１送信手段を制御する制御手段を更に有することを特徴とする請求項１に記載の通信装置。
【請求項６】
前記報知信号により能力情報を報知するか否かを設定する設定手段を更に備え、
前記制御手段は、前記設定手段で前記能力情報を報知すると設定されている場合に、前記通信装置自身の識別情報は含まないが、前記通信装置の能力情報を含む前記報知信号を送信するように前記第１送信手段を制御することを特徴とする請求項５に記載の通信装置。
【請求項７】
前記制御手段は、前記通信装置と前記無線情報端末との間で無線通信パラメータの設定を行なう無線通信パラメータ設定モードで、前記通信装置を制御可能であり、
前記無線通信パラメータ設定モードにおいては、前記能力情報を報知するように前記第１送信手段を制御することを特徴とする請求項５に記載の通信装置。
【請求項８】
前記無線通信パラメータ設定モードが、一定期間中のみ継続するように制御するための計時手段を更に備えることを特徴とする請求項７に記載の通信装置。
【請求項９】
通信可能エリア内にある無線情報端末に対して、無線通信によるネットワーク接続を実現させる通信装置の制御方法であって、
前記通信可能エリアに対して、前記通信装置の存在を知らせる報知信号であって、前記通信装置の能力情報を含まない報知信号を送信する第１送信工程と、
前記無線情報端末から、通信装置を探索する探索信号を受信する受信工程と、
受信した前記探索信号に、前記通信装置に求められる要求能力情報が含まれ、且つ、前記通信装置の能力情報が、前記要求能力情報を満たすか否かを判定する判定工程と、
前記判定工程における判定結果に応じて、前記通信装置の能力情報を含む探索応答メッセージを無線情報端末に対して送信する第２送信工程と、
を有することを特徴とする通信装置の制御方法。
【請求項１０】
通信可能エリア内にある無線情報端末に対して、無線通信によるネットワーク接続を実現させる通信装置の制御プログラムであって、通信装置により実行され、
前記通信可能エリアに対して、前記通信装置の存在を知らせる報知信号であって、前記通信装置の能力情報を含まない報知信号を送信する第１送信工程と、
前記無線情報端末から、通信装置を探索する探索信号を受信する受信工程と、
受信した前記探索信号に、前記通信装置に求められる要求能力情報が含まれ、且つ、前記通信装置の能力情報が、前記要求能力情報を満たすか否かを判定する判定工程と、
前記判定工程における判定結果に応じて、前記通信装置の能力情報を含む探索応答メッセージを無線情報端末に対して送信する第２送信工程と、
を実現することを特徴とする通信装置の制御プログラム。
【発明の詳細な説明】
【技術分野】
【０００１】
本発明は、エリア内にある無線情報端末に対して、ネットワーク接続を実現させる通信装置及びその制御方法に関する。
【背景技術】
【０００２】
従来からエリア内にある無線情報端末に対して、ネットワーク接続を実現させる通信装置及びその制御方法が知られている。このような一般的な通信装置（いわゆるアクセスポイント）について説明する。
【０００３】
例えば、ＩＥＥＥ８０２．１１準拠の無線ＬＡＮでは、アクセスポイントは自己の存在をエリア内に存在する無線情報端末に知らせるために、ビーコン信号を周期的に送出している。無線情報端末は、受信したビーコン信号内のネットワーク識別子であるＳＳＩＤを見て、そのＳＳＩＤを持ったアクセスポイントに接続要求を送信することができる。しかし、ＳＳＩＤを常時無線上で公開しておくと、悪意のある第３者がこれを傍受してネットワークに接続することができるため、セキュリティ上の弱点となりうる。このようなセキュリティ上の問題を解決するため、現在では、ビーコン信号にＳＳＩＤを入れないＳＳＩＤステルス機能を備えたアクセスポイントが製品化されている（非特許文献１参照）。このＳＳＩＤステルス機能を用いると、無線空間上にＳＳＩＤを常時公開しなくなるため、悪意のある第３者からのアクセスを防御することができ、無線ＬＡＮのセキュリティを向上させることができる。また無線情報端末から特定パケットを送出すると、一定時間のみＳＳＩＤを公開するようなシステムも提案されている（特許文献１参照）。
【０００４】
一方、ネットワーク接続に必要となる各種通信パラメータの設定を自動的に行うシステムにおいては、アクセスポイントはビーコン信号で、自己の能力情報を常時無線空間上に公開している。これにより、無線情報端末がその能力情報を参照し、複数のアクセスポイントの中から、自己の希望する能力を備えたアクセスポイントに接続要求を送信することができる。
【特許文献１】特開２００５−１９７７７３公報
【非特許文献１】http://e-words.jp/w/ESS-IDE382B9E38386E383ABE382B9.html
【発明の開示】
【発明が解決しようとする課題】
【０００５】
しかしながら、上述した従来のアクセスポイントでは、能力情報を非公開にする手段を持っていなかった。従って、第３者の無線情報端末からでも能力情報が参照可能であり、セキュリティ面で問題があった。
【０００６】
本発明は、上記従来技術の課題を解決するためになされたもので、その目的は、能力情報を含まない報知信号を出力する、セキュリティ面に配慮したアクセスポイントを提供することにある。
【課題を解決するための手段】
【０００７】
上記目的を達成するため、本発明に係る装置は、通信可能エリア内にある無線情報端末に対して、無線通信によるネットワーク接続を実現させる通信装置である。本装置は、通信可能エリアに対して、前記通信装置の存在を知らせる報知信号であって、前記通信装置の能力情報を含まない報知信号を送信する第１送信手段を有する。また、無線情報端末から、通信装置を探索する探索信号を受信する受信手段を有する。更に、受信した前記探索信号に、前記通信装置に求められる要求能力情報が含まれ、且つ、前記通信装置の能力情報が、前記要求能力情報を満たすか否かを判定する第１判定手段を有する。また更に、前記第１判定手段による判定結果に基づいて、前記通信装置の能力情報を含む探索応答メッセージを無線情報端末に対して送信する第２送信手段を有する。
【０００８】
上記目的を達成するため、本発明に係る方法は、通信可能エリア内にある無線情報端末に対して、無線通信によるネットワーク接続を実現させる通信装置の制御方法である。本方法は、前記通信可能エリアに対して、前記通信装置の存在を知らせる報知信号であって、前記通信装置の能力情報を含まない報知信号を送信する第１送信工程を有する。また、前記無線情報端末から、通信装置を探索する探索信号を受信する受信工程を有する。更に、受信した前記探索信号に、前記通信装置に求められる要求能力情報が含まれ、且つ、前記通信装置の能力情報が、前記要求能力情報を満たすか否かを判定する判定工程を有する。また更に、前記判定工程における判定結果に応じて、前記通信装置の能力情報を含む探索応答メッセージを無線情報端末に対して送信する第２送信工程を有する。
【０００９】
上記目的を達成するため、本発明に係るプログラムは、通信可能エリア内にある無線情報端末に対して、無線通信によるネットワーク接続を実現させる通信装置の制御プログラムであって、通信装置により実行される。また、通信可能エリアに対して、前記通信装置の存在を知らせる報知信号であって、前記通信装置の能力情報を含まない報知信号を送信する第１送信工程を実現する。更に、前記無線情報端末から、通信装置を探索する探索信号を受信する受信工程を実現する。また更に、受信した前記探索信号に、前記通信装置に求められる要求能力情報が含まれ、且つ、前記通信装置の能力情報が、前記要求能力情報を満たすか否かを判定する判定工程を実現する。そして、判定工程における判定結果に応じて、前記通信装置の能力情報を含む探索応答メッセージを無線情報端末に対して送信する第２送信工程を実現する。
【発明の効果】
【００１０】
本発明によれば、能力情報を含まない報知信号を出力する、セキュリティ面に配慮したアクセスポイントを提供できる。
【発明を実施するための最良の形態】
【００１１】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１２】
（第１実施形態）
本発明の第１実施形態は、無線通信機能を有する機器間でネットワーク接続に必要となる各種通信パラメータ設定を自動的に行う通信装置（無線基地局用装置）に関する。また、特に通信装置の能力情報の通知を制御する制御方法に関する。
【００１３】
図１は、本実施形態に係る通信装置、いわゆるアクセスポイント２０３の内部構成を示す図である。図１に示すように、アクセスポイント（ＡＰ）２０３は、無線送受信部１０２、判断部１０３、インタフェース部１０４、制御部１０５、設定記憶部１０６、計時部１０７を含む。このうち、無線送受信部１０２は、アンテナを含み、無線情報端末（以下ＳＴＡ）との間で直接データの送受信を行なう。また、判断部１０３は、ＳＴＡから得た情報を元に、各種の判断を行なう。具体的には、通信を行なうべきＳＴＡか否かの判断を主に行なう。インタフェース部１０４は、他の装置とのインタフェースを含む。例えばＷＡＮに接続するためのイーサネット（登録商標）ポートなどが、これにあたる。制御部１０５は、いわゆるＣＰＵであり、各種のプログラムを実行することによって、アクセスポイント２０３全体を制御する。設定記憶部１０６は、アクセスポイント２０３に対して外部から設定された情報を記憶する。例えば、ネットワーク識別子であるＳＳＩＤをビーコンに含めない機能（ＳＳＩＤステルス機能）を有効にするか否か、或いは、ビーコンに能力情報を含めるか否かの設定を記憶する。制御部１０５は、設定記憶部１０６に記憶された設定に基づいて、各制御を行なう。計時部１０７は、経過する時間を計測する。特に、一定時間、能力情報をビーコンに含める設定の場合には、その時間を計測し、所定の時間の経過を制御部１０５に伝える。
【００１４】
図２は、本実施形態に係るＡＰ２０３を利用した無線ネットワークについて説明するために図である。図２では、２つのＳＴＡ２０１〜２０２が、お互い電波の届く範囲に存在している。ＡＰ２０３はＳＳＩＤステルスモードに設定されており、ＡＰ２０３から周期的に送出される報知信号であるビーコン信号では、ＳＳＩＤは通知されないものとする。また、ＡＰ２０３は、ビーコンに能力情報を含めないよう設定されている。なお、ＡＰ２０３の能力として、無線通信パラメータ自動設定機能を備えており、同機能を備えているＳＴＡとの間で、無線通信パラメータの自動設定が可能である。ここで、ＳＴＡ２０２は正規ユーザの端末であり、ＡＰ２０３が無線通信パラメータ自動設定機能を備えていること、及び、ＡＰ２０３と接続するためのＳＳＩＤを予め知っているものとする。一方、ＳＴＡ２０１は第３者の端末であり、ＡＰ２０３が無線通信パラメータ自動設定機能を備えていること、及び、ＡＰ２０３と接続するためのＳＳＩＤを知らないものとする。
【００１５】
次に、図３を用いて、ＡＰ２０３とＳＴＡ２０１、２０２の間で、接続のための無線通信パラメータ設定を行う際の処理の流れについて説明する。また、図４を用いて、ＡＰ２０３内部での処理について説明する。
【００１６】
ＡＰ２０３は周期的にビーコン信号を送出し、ＡＰ２０３の電波到達エリア２０４内の端末に向けて、自己の存在を知らせる（Ｓ３０１〜Ｓ３０４）。ＳＳＩＤステルス機能により、ビーコン信号内にはＳＳＩＤは含まれず、更に、ＡＰ２０３の能力情報も含まれていない。ＡＰ２０３からのビーコン信号を受信したＳＴＡ２０１は、ＡＰ２０３に接続するために能力情報を含まない探索要求メッセージを送出する（Ｓ３０５）。その際、ＳＳＩＤを設定する必要があるが、ＳＳＩＤを知る手段を持たないので任意の文字列をＳＳＩＤとして探索要求メッセージに含ませている。
【００１７】
図４に示すように、この時点で、ＡＰ２０３は探索要求メッセージを受信する（Ｓ５０１）。次に、ＡＰ２０３は、自身がステルスモードに設定されているか否かを判定し（Ｓ５０２）、制御部１０５および判断部１０３でＳＳＩＤのチェックを行う（Ｓ５０３、Ｓ３０６）。ここではＳＳＩＤはＡＰ２０３とは異なっているので、ＡＰ２０３からは応答を返さない（Ｓ５０３でＮＧ）。
【００１８】
一方、ＳＴＡ２０２は、ＡＰ２０３が無線通信パラメータ自動設定機能を持っていることを知っているので、ＡＰ２０３と接続するために無線通信パラメータ自動設定機能を有している旨の能力情報を含む探索要求メッセージを送出する（Ｓ３０７）。その際、ＳＳＩＤを設定する必要があるが、ＳＴＡ２０２のユーザは事前にＳＳＩＤを知っているので、正しいＳＳＩＤを情報探索要求メッセージに含んでいる。
【００１９】
ＡＰ２０３は探索要求メッセージを受信し（Ｓ５０１）、ＡＰ２０３は、自身がステルスモードに設定されているか否かを判定する（Ｓ５０２）。探索要求メッセージを受信したＡＰ２０３は、自身がステルスモードに設定されていれば、ステップＳ５０３に進み、制御部１０５および判断部１０３でＳＳＩＤのチェックを行う。これは、図３ではＳ３０８の処理に相当する。
【００２０】
ここではＳＳＩＤはＡＰ２０３と同一なので、ＡＰ２０３は能力情報チェック（Ｓ３０９，Ｓ５０４）に制御を移行する。制御部１０５および判断部１０３で行われる能力情報チェック処理（Ｓ３０９，Ｓ５０４）では、能力情報の有無や、ＳＴＡ２０２の能力情報で通知される機能がＡＰ２０３でも対応している機能かどうかをチェックする。能力情報チェック結果がＯＫの場合は、ＡＰ２０３は自身の能力情報を含む探索応答メッセージをＳＴＡ２０２に対して送出する（Ｓ３１０，Ｓ５０５）。その後、通常の無線通信パラメータ自動設定プロコトルがＡＰ２０３とＳＴＡ２０２との間で実行される（Ｓ３１１，Ｓ５０６）。
【００２１】
なお、能力情報チェック結果がＮＧの場合は、ＡＰ２０３は自身の能力情報を含まない探索応答メッセージをＳＴＡ２０２に対して送出する（Ｓ５０７）。従って、無線通信パラメータ設定プロコトルは実行されない。または能力情報チェック結果がＮＧの場合、ＡＰ２０３は何も送出しないので、ＳＴＡ２０２は接続できない。
【００２２】
ここで、ＳＴＡ２０１が設定したＳＳＩＤが正しい場合に言及する。ＳＴＡ２０１から正しいＳＳＩＤを含む探索要求メッセージが送出されると（Ｓ３１４）、そのメッセージを受信したＡＰ２０３は、ステルスモードに設定されているので、制御部１０５および判断部１０３でＳＳＩＤのチェックを行う（Ｓ３１５，Ｓ５０３）。ここではＳＳＩＤはＡＰ２０３と同一なので、ＡＰ２０３は能力情報チェック（Ｓ３１６，Ｓ５０４）に制御を移行する。制御部１０５および判断部１０３で行われる能力情報チェック（Ｓ３０９，Ｓ５０４）は、能力情報の有無や、ＳＴＡ２０２の能力情報で通知される機能情報がＡＰ２０３でも対応している機能かどうかをチェックする。ＳＴＡ２０１のユーザは、ＡＰ２０３が無線通信パラメータ設定機能を持っていることを知らないので、ＳＴＡ２０１が送出した探索要求メッセージには、能力情報が含まれていない。したがって、能力情報チェックでＮＧとなり、無線通信パラメータ設定プロコトルは実行されないこととなる。このように、探索要求に含まれるＳＳＩＤが正しい場合でも、能力情報が含まれていなければ、当該探索要求を送信した端末とＡＰとの間で無線通信パラメータの自動設定は行われない。つまり、ＳＳＩＤのチェックと能力情報のチェック、という二重のチェックを行うことにより、ＳＳＩＤステルス機能のみ有効にした場合に比べ、セキュリティをより強固にすることができる。
【００２３】
以上、ＡＰ２０３がＳＳＩＤステルスモードで動作している場合について説明を行ったが、ＳＳＩＤステルスモードに設定していないＡＰ２０３に関しても同様の処理を行うことができる。本実施形態によれば、ＡＰが無線通信パラメータ設定機能を備えていることを予め知っているユーザの端末とのみ無線通信パラメータの設定を行うため、悪意のある第三者がネットワークに接続することを防止することができる。また、ＳＳＩＤステルス機能と組み合わせることにより、セキュリティを更に強化することができる。
【００２４】
（第２実施形態）
次に、図５及び図６を用いて本発明の第２実施形態について説明する。本実施形態では、ＡＰ２０３およびＳＴＡ２０２のそれぞれに設けられたボタンを押下することで、無線通信パラメータ設定シーケンスが動作する点で、第１実施形態と異なる。その他の構成及び作用については第１実施形態と同様であるため、ここでは同じ構成要素や処理については同じ符号を付してその説明を省略する。なお、図５は、ＡＰ２０３とＳＴＡ２０１、２０２の間で、接続のための無線通信パラメータ設定を行う際の処理の流れを示す図である。また、図６は、ＡＰ２０３内部での処理を示すフローチャートである。
【００２５】
ＡＰ２０３は、第１実施形態と同様に、周期的にビーコン信号を送出し、ＡＰ２０３の電波到達エリア２０４内の端末に向けて、自己の存在を知らせる（Ｓ３０１〜Ｓ３０４、Ｓ６０１）。なお、ＳＳＩＤステルス機能は有効になっており、ビーコン信号内にはＳＳＩＤは含まれず、更に、ＡＰ２０３の能力情報も含まれていない。ここでＡＰ２０３とＳＴＡ２０２において、無線通信パラメータ設定プロトコルを行うために、ボタンが押下されたものとする（Ｓ４０５及びＳ４０６，６０２）。ボタンが押下されたＡＰ２０３は、無線通信パラメータ設定モードとなり、制御部１０５の働きにより能力情報を含むビーコン信号を送出する（Ｓ４０７〜Ｓ４１０，Ｓ６０３）。このとき、ＡＰ２０３の計時部１０７ではタイマを起動する（Ｓ６０４）。なお、ＳＳＩＤステルス機能はそのまま有効にしておくものとする。
【００２６】
ＡＰ２０３からのビーコン信号を受信したＳＴＡ２０１は、ＡＰ２０３に接続するために能力情報を含む探索要求メッセージを送出する（Ｓ４１１）。その際、ＳＳＩＤを設定する必要があるが、ＳＳＩＤを知る手段を持たないので任意の文字列をＳＳＩＤとして探索要求メッセージに含ませているものとする。探索要求メッセージを受信したＡＰ２０３は、自身がステルスモードに設定されているので、制御部１０５および判断部１０３でＳＳＩＤのチェックを行う（Ｓ４１２）。
【００２７】
図６では、ＡＰ２０３は探索要求メッセージを受信し（Ｓ５０１）、ＡＰ２０３は、自身がステルスモードに設定されているか否かを判定する（Ｓ５０２）。探索要求メッセージを受信したＡＰ２０３は、自身がステルスモードに設定されていれば、ステップＳ５０３に進み、制御部１０５および判断部１０３でＳＳＩＤのチェックを行う。ここではＳＳＩＤはＡＰ２０３とは異なっているとするので、ＡＰ２０３からは応答を返さない。
【００２８】
ＳＴＡ２０２は、ＡＰ２０３が無線通信パラメータ自動設定機能を持っていることを知っているので、ＡＰ２０３と接続するために無線通信パラメータ自動設定機能を有している旨の能力情報を含む探索要求メッセージを送出する（Ｓ４１３）。その際、ＳＳＩＤを設定する必要があるが、ＳＴＡ２０２のユーザは事前にＳＳＩＤを知っているので、正しいＳＳＩＤを情報探索要求メッセージに含んでいる。
【００２９】
ステップＳ５０１で探索要求メッセージを受信したＡＰ２０３は、自身がステルスモードに設定されているか否か判定し（Ｓ５０２）、ステルスモードであれば、ステップＳ５０３に進む。ステップＳ５０３では、制御部１０５および判断部１０３でＳＳＩＤのチェックを行う（Ｓ４１４）。ここではＳＳＩＤはＡＰ２０３と同一なので、ＡＰ２０３は能力情報チェック（Ｓ４１５、Ｓ５０４）に制御を移行する。制御部１０５および判断部１０３で行われる能力情報チェック（Ｓ４１５）は、能力情報の有無や、ＳＴＡ２０２の能力情報で通知される機能がＡＰ２０３でも対応している機能かどうかをチェックする。能力情報チェック結果がＯＫの場合は、ＡＰ２０３は自身の能力情報を含む探索応答メッセージをＳＴＡ２０２に対して送出する（Ｓ４１６、Ｓ５０５）。その後、通常の無線通信パラメータ自動設定プロコトルがＡＰ２０３とＳＴＡ２０２との間で実行される（Ｓ４１７、Ｓ５０６）。なお、能力情報チェック結果がＮＧの場合は、ＡＰ２０３は自身の能力情報を含まない探索応答メッセージをＳＴＡ２０２に対して送出する（Ｓ５０７）。したがって、無線通信パラメータ設定プロコトルは実行されない。または能力情報チェック結果がＮＧの場合、ＡＰ２０３は何も送出しないので、ＳＴＡ２０２は接続できない。なお、ＡＰ２０３の計時部１０７でタイムアウトを検知したら（Ｓ６０５）、ステップＳ６０１に戻り、制御部１０５の働きにより能力情報を含まないビーコン信号の送出を行なう。
【００３０】
以上、ＡＰ２０３がボタン押下により能力情報を含むビーコン信号を送出するようになる例について説明を行ったが、ボタン押下以外の無線パラメータ設定プロコトルを開始させる動作においても同様の処理を行うことができる。本実施例によれば、ＡＰはボタンが押下されてから、一定時間のみビーコンに能力情報を含めて送信することにより、当該時間以外は他の端末はＡＰが無線通信パラメータ自動設定機能を備えていることを認識できない。従って、悪意のある第３者がネットワークに接続するのを防止することができるため、セキュリティを強化することができる。
【００３１】
（他の実施形態）
以上、本発明の実施形態について詳述したが、本発明は、複数の機器から構成されるシステムに適用しても良いし、また、一つの機器からなる装置に適用しても良い。
【００３２】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００３３】
その場合、プログラムの機能を有していれば、オブジェクトコード、インタプリタにより実行されるプログラム、ＯＳに供給するスクリプトデータ等、プログラムの形態を問わない。
【００３４】
プログラムを供給するための記録媒体としては、例えば、フロッピー（登録商標）ディスク、ハードディスク、光ディスク、光磁気ディスクがある。また、ＭＯ、ＣＤ−ＲＯＭ、ＣＤ−Ｒ、ＣＤ−ＲＷ、磁気テープ、不揮発性のメモリカード、ＲＯＭ、ＤＶＤＤＶＤ−ＲＯＭ，ＤＶＤ−Ｒなどがある。
【００３５】
その他、クライアントＰＣのブラウザを用いてインターネットサイトに接続し、本発明に係るプログラムそのもの、もしくは更に自動インストール機能を含むファイルをハードディスク等の記録媒体にダウンロードするという利用方法もある。また、本発明に係るプログラムを構成するプログラムコードを複数のファイルに分割し、それぞれのファイルを異なるホームページからダウンロードすることによっても実現可能である。つまり、本発明の機能処理をコンピュータで実現するためのプログラムを複数のユーザに対してダウンロードさせるＷＷＷサーバも、本発明の範疇に含まれる。
【００３６】
また、本発明に係るプログラムを暗号化してＣＤ−ＲＯＭ等の記憶媒体に格納してユーザに配布してもよい。所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００３７】
また、プログラムの指示に基づき、コンピュータ上で稼動しているＯＳなどが、実際の処理の一部または全部を行ない、その処理によっても前述した実施形態の機能が実現され得る。
【００３８】
さらに、ＰＣの機能拡張ユニットに備わるメモリに本発明に係るプログラムが書き込まれ、そのプログラムに基づき、その機能拡張ユニットに備わるＣＰＵなどが実際の処理の一部または全部を行なう場合も、本発明の範疇に含まれる。
【図面の簡単な説明】
【００３９】
【図１】本発明の第１実施形態に係るアクセスポイントの構成図である。
【図２】第１実施形態および第２実施形態の構成図である。
【図３】第１実施形態のシーケンス図である。
【図４】第１実施形態のフローチャートである。
【図５】第２実施形態のシーケンス図である。
【図６】第２実施形態のフローチャートである。
【符号の説明】
【００４０】
２０１  無線情報端末
２０２  無線情報端末
２０３  アクセスポイント
２０４  アクセスポイントの無線エリア
【図１】
2008035418.tif 000003
【図２】
2008035418.tif 000004
【図３】
2008035418.tif 000005
【図４】
2008035418.tif 000006
【図５】
2008035418.tif 000007
【図６】
2008035418.tif 000008